(57)【要約】【課題】多様な握り方を選択した場合であっても良好な使用感が得られる電動バリカンを提案する。【解決手段】本体ブロック２と刃ブロック４とを具備し、本体ブロック２の内部にモータを設け、刃ブロック４に刃部１０を設けた電動バリカンにおいて、本体ブロック２を、本体先端部１４と本体後端部１８の間に湾曲部１６を介在させた形状とする。これより、本体先端部１４の軸方向を、本体後端部１８の軸方向に対して傾けて設定する。更に、刃ブロック４の刃先方向１００を、本体後端部１８の軸方向に対して傾けて設定する。【選択図】図１
2014045806.tif 000002
【特許請求の範囲】
【請求項１】
片手で握られる筒型の本体ブロックと、
前記本体ブロックの先端に装着される刃ブロックとを具備し、
前記本体ブロックには、その内部にモータが設けられ、
前記刃ブロックには、前記モータによって駆動される櫛状の刃部が設けられてなる電動バリカンにおいて、
前記本体ブロックは、
前記刃ブロックを装着する本体先端部と、前記本体先端部とは反対側に位置する本体後端部と、前記本体先端部と前記本体後端部の間に介在する湾曲部とで形成され、
前記本体先端部の軸方向が、前記本体後端部の軸方向に対して傾いて設定され、且つ、前記刃ブロックの刃先方向が、前記本体後端部の軸方向に対して傾いて設定されることを特徴とする電動バリカン。
【請求項２】
前記湾曲部は、
前記刃ブロックの先端から前記本体ブロックの後端に至るまでの全長の略中間領域に設けられ、且つ、前記刃ブロックの刃幅方向において、前記本体先端部と前記本体後端部よりも幅狭に設けられることを特徴とする請求項１に記載の電動バリカン。
【請求項３】
前記湾曲部には、指当て部材が配置され、
この指当て部材は、前記湾曲部の外周面のうち湾曲した内側の面を覆う第一面部と、前記湾曲部の外周面うち前記刃ブロックの刃幅方向の一方の面を覆う第二面部と、前記湾曲部の外周面のうち前記刃ブロックの刃幅方向の他方の面を覆う第三面部とを、一連に有することを特徴とする請求項１又は２に記載の電動バリカン。
【請求項４】
前記湾曲部の外周面のうち湾曲した外側の面には、前記モータのオンオフを操作するスイッチを配置していることを特徴とする請求項１〜３のいずれか一項に記載の電動バリカン。
【請求項５】
前記本体先端部には、前記モータが収納され、
前記本体後端部には、前記モータに電力を供給するバッテリが収納されることを特徴とする請求項１〜４のいずれか一項に記載の電動バリカン。
【請求項６】
前記本体先端部の軸方向は、前記本体後端部の軸方向に対して一方向に１５°〜２５°の範囲内で傾いて設定され、
前記刃ブロックの刃先方向は、前記本体後端部の先端側へと向かう軸方向に対して、前記一方向とは逆方向に３５°〜４５°の範囲内で傾いて設定され、
且つ、前記本体ブロックを前記刃ブロックの刃幅方向から視て、前記本体先端部の中心軸と前記刃ブロックの先端面との交点を始点とし、前記本体先端部の中心軸と前記本体後端部の中心軸との交点を終点としたとき、前記始点から前記終点に至るまでの長さは、６０〜８０ｍｍの範囲内で設定されることを特徴とする請求項１〜５のいずれか一項に記載の電動バリカン。
【発明の詳細な説明】
【技術分野】
【０００１】
本発明は、除毛に用いられる電動バリカンに関する。
【背景技術】
【０００２】
除毛を行うために、電動バリカンが用いられる。電動バリカンは、モータ等を収納した筒型の本体ブロックと、本体ブロックの先端に装着される刃ブロックとを備え、本体ブロックを片手で握りながら刃ブロックを肌面に沿ってスライドさせていくことで、除毛が行われる（例えば特許文献１等参照）。
【先行技術文献】
【特許文献】
【０００３】
【特許文献１】特開２００２−０６６１７０号公報
【発明の概要】
【発明が解決しようとする課題】
【０００４】
従来の電動バリカンは、本体ブロックが略一直線状に形成されることが一般的である。そのため、従来の電動バリカンによれば、例えば一つの握り方では使用感が良好であるが、他の握り方では良好な使用感が得られないというように、握り方によっては良好な使用感が得られない場合があった。
【０００５】
本発明は、前記問題点に鑑みて発明したものであって、多様な握り方を選択した場合であっても良好な使用感を得ることのできる電動バリカンを提案することを、課題とする。
【課題を解決するための手段】
【０００６】
前記課題を解決するために、本発明の電動バリカンを、下記構成を具備したものとする。
【０００７】
つまり、本発明は、片手で握られる筒型の本体ブロックと、前記本体ブロックの先端に装着される刃ブロックとを具備し、前記本体ブロックには、その内部にモータが設けられ、前記刃ブロックには、前記モータによって駆動される櫛状の刃部が設けられてなる電動バリカンにおいて、前記本体ブロックは、前記刃ブロックを装着する本体先端部と、前記本体先端部とは反対側に位置する本体後端部と、前記本体先端部と前記本体後端部の間に介在する湾曲部とで形成され、前記本体先端部の軸方向が前記本体後端部の軸方向に対して傾いて設定され、且つ、前記刃ブロックの刃先方向が前記本体後端部の軸方向に対して傾いて設定されることを特徴とする。
【０００８】
前記湾曲部は、前記刃ブロックの先端から前記本体ブロックの後端に至るまでの全長の略中間領域に設けられ、且つ、前記刃ブロックの刃幅方向において、前記本体先端部と前記本体後端部よりも幅狭に設けられることが好ましい。
【０００９】
また、前記湾曲部には、指当て部材が配置され、この指当て部材は、前記湾曲部の外周面のうち湾曲した内側の面を覆う第一面部と、前記湾曲部の外周面うち前記刃ブロックの刃幅方向の一方の面を覆う第二面部と、前記湾曲部の外周面のうち前記刃ブロックの刃幅方向の他方の面を覆う第三面部とを、一連に有することが好ましい。
【００１０】
また、前記湾曲部の外周面のうち湾曲した外側の面には、前記モータのオンオフを操作するスイッチを配置していることが好ましい。
【００１１】
また、前記本体先端部には、前記モータが収納され、前記本体後端部には、前記モータに電力を供給するバッテリが収納されることが好ましい。
【００１２】
また、前記本体先端部の軸方向は、前記本体後端部の軸方向に対して一方向に１５°〜２５°の範囲内で傾いて設定され、前記刃ブロックの刃先方向は、前記本体後端部の先端側へと向かう軸方向に対して、前記一方向とは逆方向に３５°〜４５°の範囲内で傾いて設定され、且つ、前記本体ブロックを前記刃ブロックの刃幅方向から視て、前記本体先端部の中心軸と前記刃ブロックの先端面との交点を始点とし、前記本体先端部の中心軸と前記本体後端部の中心軸との交点を終点としたとき、前記始点から前記終点に至るまでの長さは、６０〜８０ｍｍの範囲内で設定されることが好ましい。
【発明の効果】
【００１３】
本発明では、本体先端部と湾曲部と本体後端部とで本体ブロックが形成され、本体先端部の軸方向が本体後端部の軸方向に対して傾いて設定され、且つ、刃ブロックの刃先方向が本体後端部の軸方向に対して傾いて設定されているので、多様な握り方を選択した場合であっても良好な使用感が得られるという効果を奏する。
【図面の簡単な説明】
【００１４】
【図１】本発明の一実施形態の電動バリカンの側面図である。
【図２】同上の電動バリカンの正面図である。
【図３】同上の電動バリカンの指当て部材を外した斜視図である。
【図４】同上の電動バリカンの分解斜視図である。
【図５】同上の電動バリカンを握った場合の斜視図である。
【図６】同上の電動バリカンを別の方法で握った場合の斜視図である。
【図７】同上の電動バリカンを更に別の方法で握った場合の斜視図である。
【図８】同上の電動バリカンを用いて行う除毛作業を示す側面図である。
【発明を実施するための形態】
【００１５】
本発明を、添付図面に示す実施形態に基づいて説明する。図１〜図４には、本発明の一実施形態の電動バリカンを示している。この電動バリカンの握り方を図５〜図７に示し、この電動バリカンで除毛する様子を図８に示している。
【００１６】
本実施形態の電動バリカンは、片手で握ることができるように筒型に形成した本体ブロック２と、この本体ブロック２の軸方向の先端に着脱自在に装着される刃ブロック４とを備える。刃ブロック４は、固定刃６と可動刃８が組み合わされた刃部１０を有する。固定刃６と可動刃８は、それぞれの一端縁から多数の刃を櫛状に突出させたものであり、刃部１０全体が櫛状となっている。
【００１７】
以下、刃部１０において刃が突出する方向を「刃先方向１００」とし、多数の刃が櫛状に並ぶ方向を「刃幅方向２００」とする。刃先方向１００と刃幅方向２００は、直交する関係にある。また、これら櫛状の刃を「櫛刃」と称する。刃部１０において、可動刃８が刃ブロック４に対して刃幅方向２００に往復動されることで、固定刃６と可動刃８の櫛刃間に導入された体毛が切除される。
【００１８】
本実施形態では、刃ブロック４が有する先端面１２と平行となるように刃部１０を配置している。刃部１０をなす固定刃６と可動刃８の各櫛刃は、刃ブロック４の先端面１２の端縁部から、この先端面１２と平行な方向に突出する。つまり、刃先方向１００は刃ブロック４の先端面１２と平行である。なお、本実施形態では、可動刃８が固定刃６よりも外側に位置するように、刃部１０を構成している。これにより、図８に示すような使用時には、固定刃６よりも可動刃８が肌面５００と近い側に位置し、体毛をより短く切除することができる。
【００１９】
本体ブロック２は、その長さ方向の中央部分が一方向に湾曲するように形成されている。本体ブロック２は、略一直線状である本体先端部１４と、略円弧状である湾曲部１６と、略一直線状である本体後端部１８とが、互いの軸方向に円滑に連続する形状である。本体先端部１４の軸方向の長さと、本体後端部１８の軸方向の長さとは、略同一に設ける。こでの本体先端部１４の軸方向は、筒型である本体先端部１４の中心軸Ａ１の軸方向である。本体後端部１８の軸方向は、筒型である本体後端部１８の中心軸Ａ２の軸方向である。本体先端部１４の軸方向は、本体先端部１４と本体後端部１８の間に湾曲部１６が介在することにより、側面視において本体後端部１８の軸方向よりも一方向に角度θ１だけ傾いて設定される。
【００２０】
ここでの側面視とは、本体ブロック２をこれに装着する刃ブロック４の刃幅方向２００から視たときを意味する。以下においては、本体ブロック２の外周面のうち刃幅方向２００を向く面を「側面」、本体ブロック２の外周面のうち湾曲した外側の面を「正面」、本体ブロック２の外周面のうち湾曲した内側の面を「背面」という。
【００２１】
中空である本体ブロック２内には、図４に示すように、刃ブロック４の可動刃８に対して往復方向の動力を発生及び伝達させる動力発生部２０と、この動力発生部２０に対して電力を供給する電力供給部２２とが収納される。動力発生部２０は、電力供給によって回転力を発生させるモータ２４と、モータ２４の回転力を刃幅方向２００の往復力に変換して刃部１０に伝達する伝達機構２６とを組み合わせて形成される。電力供給部２２は、電源であるバッテリ２８と、バッテリ２８からモータ２４への電力供給を制御する制御回路板３０とを組み合わせて形成される。
【００２２】
動力発生部２０は、本体ブロック２のうちで略一直線状をなす本体先端部１４を利用して、この本体先端部１４の中空部分に配置される。電力供給部２２は、本体ブロック２のうちで略一直線状をなす本体後端部１８を利用して、この本体後端部１８の中空部分に配置される。本体ブロック２内に配置された動力発生部２０と電力供給部２２は、本体ブロック２の中間領域に位置する湾曲部１６内において、電気接続される。
【００２３】
本体ブロック２は、本体ブロック２全体の主要部をなす筒型の本体ケース３２と、本体ケース３２の後端に装着される後端カバー３４と、本体ケース３２の先端に装着される先端フレーム３６とからなる。後端カバー３４を本体ケース３２に装着することで、本体ケース３２の有する後端開口が後端カバー３４で塞がれる。先端フレーム３６を本体ケース３２に装着することで、本体ケース３２の先端が先端フレーム３６によって延長される。刃ブロック４は、この先端フレーム３６の先端に、着脱自在に装着される。刃ブロック４の着脱は、先端フレーム３６に対して刃ブロック４を刃先方向１００にスライドさせることで行われる。
【００２４】
モータ２４のオンオフを操作するスイッチ３８は、本体ブロック２の外周面のうち、本体ブロック２の中央領域である湾曲部１６の正面に配置している。スイッチ３８を押し込むと、この押し込み操作を検知した制御回路板３０の制御回路が、バッテリ２８からモータ２４への電力供給のオンオフ等を制御する。
【００２５】
本体ブロック２の外周面には、本体ケース３２や先端フレーム３６とは異なる色に着色した指当て部材４０が配置される。指当て部材４０は、使用者の多様な握り方に対応して、その際の指当て位置を明確化することのできる部材であり、本体ブロック２のうち本体ケース３２の外周面に配置される。この指当て部材４０は、本体ケース３２や先端フレーム３６とは異なる材質であってもよい。
【００２６】
指当て部材４０は、本体ブロック２の少なくとも湾曲部１６を覆うように配置される。但し、湾曲部１６のうちスイッチ３８が位置する正面側は、指当て部材４０で覆わないように設ける。この指当て部材４０は、湾曲部１６の背面を覆う第一面部４２と、湾曲部１６の一方の側面を覆う第二面部４４と、湾曲部１６の他方の側面を覆う第三面部４６とを、一連に有する。つまり、第一面部４２の刃幅方向２００の一方の端縁から第二面部４４が円滑に延設され、第一面部４２の刃幅方向２００の他方の端縁から第三面部４６が円滑に延設される。
【００２７】
第二面部４４と第三面部４６には、側面視にて先端側にむけて半円状に膨らむ延長部分を形成し、この延長部分の周縁部を他より盛り上げることで、それぞれ指止め部４８を形成している。指止め部４８の周縁部で囲まれる部分に、親指や人差し指の指先部分が当たることで、各指の位置決めがなされる。
【００２８】
上記構成を備える本実施形態の電動バリカンでは、多様な握り方のいずれを選択した場合でも良好な使用感が得られるように、図１に示すような角度設定や寸法設定がなされている。
【００２９】
つまり、既述したように、本体ブロック２のうち本体先端部１４の軸方向は、湾曲部１６を挟んで本体先端部１４とは反対側に位置する本体後端部１８の軸方向に対して、側面視において一方向に角度θ１だけ傾けて設定されている。加えて、本体ブロック２に装着される刃ブロック４の刃先方向１００は、本体後端部１８の先端側へと向かう軸方向に対して、側面視において前記一方向とは逆方向に角度θ２だけ傾けて設定されている。ここでの角度θ１は、１５°〜２５°の範囲内で設定されることが好ましく、本実施形態では２０°で設定されている。角度θ２は、３５°〜４５°の範囲内で設定されることが好ましく、本実施形態では４０°で設定されている。
【００３０】
また、湾曲部１６から本体先端部１４を介して刃ブロック４の先端に至るまでの全長を、湾曲部１６から本体後端部１８の後端に至るまでの全長と同程度に設定している。具体的には、側面視にて、本体先端部１４の中心軸Ａ１と刃ブロック４の先端面１２とが交差する点を交点Ｐ１、本体先端部１４の中心軸Ａ１と本体後端部１８の中心軸Ａ２とが交差する点を交点Ｐ２としたとき、交点Ｐ１から交点Ｐ２に至るまでの長さＬ１を、６０〜８０ｍｍの範囲内で設定することが好ましい。本実施形態では、長さＬ１を７０．５ｍｍに設定している。
【００３１】
また、本体後端部１８の中心軸Ａ２と本体後端部１８の後端面とが交差する点を交点Ｐ３としたとき、交点Ｐ２から交点Ｐ３までの長さＬ２は、同じく６０〜８０ｍｍの範囲内である７８．５ｍｍに設定している。これにより、湾曲部１６は、刃ブロック４の先端から本体ブロック２の後端に至るまでの全長の略中間領域に位置する。
【００３２】
本体ブロック２の刃幅方向２００の幅寸法については、本体先端部１４の幅寸法を本体後端部１８の幅寸法よりも大きく設定している（図２参照）。湾曲部１６は両側方から滑らかに絞られた形状であり、これにより、本体先端部１４と本体後端部１８の幅寸法よりも、湾曲部１６の幅寸法が小さくなるように設けている。
【００３３】
上記の角度設定や寸法設定により、本実施形態の電動バリカンでは、図５〜図７のいずれの握り方でも良好な使用感が得られる。
【００３４】
図５の握り方は、ペンを握るように本体ブロック２を片手で握る方法である。この方法では、本体ブロック２の背面側に手の平を位置させ、指当て部材４０が有する第二面部４４の指当て部４８に、親指の指先部分を押し当て、指当て部材４０が有する第三面部４６の指当て部４８に、人差し指の指先部分を押し当てる。そして、親指と人差し指の間の股となる部位に、本体ブロック２の背面を乗せて使用する。除毛作業時には、図８に示すように刃ブロック４の先端面１２を肌面５００に当てながら、電動バリカン全体を刃先方向１００にスライドさせてゆく。このとき、長さ方向の中央領域にて湾曲した本体ブロック２の背面と肌面５００との間には大きな空間が形成されるので、図５に示すように本体ブロック２を握った手が肌面５００に接触することが抑えられ、良好な使用感で除毛作業を行うことができる。
【００３５】
図６の握り方は、親指と人差し指を本体ブロック２の両側面に押し当てながら手の平全体で本体ブロック２を握る方法である。この方法では、本体ブロック２の正面側に手の平を位置させ、指当て部材４０が有する第二面部４４の指当て部４８に、親指の指先部分を押し当て、指当て部材４０が有する第三面部４６の指当て部４８に、人差し指の指先部分を押し当てる。そして、本体ブロック２の本体後端部１８の背面側に残り三指を当てて握り込む。除毛作業時には、図８に示すように刃ブロック４の先端面１２を肌面５００に当てながら、電動バリカン全体を刃先方向１００にスライドさせてゆく。このときの本体ブロック２の姿勢は、本体先端部１４の軸方向が、肌面５００（即ち刃ブロック４の先端面１２）と直交する方向から刃先方向１００とは反対側にむけて傾き、且つ、本体ブロック２の本体後端部１８の軸方向が、本体先端部１４の軸方向に対して更に刃先方向１００の反対側にむけて傾いた姿勢となる。したがって、本体後端部１８に三指や手の平を当てて握り込んだ状態でも、使用者の肘が上がり過ぎることが抑えられ、良好な使用感が得られる。
【００３６】
図７の握り方は、親指を本体ブロック２の正面に押し当てながら手の平全体で本体ブロック２を握る方法である。この方法では、本体ブロック２に対して一方の側面に手の平を当て、本体ブロック２の本体先端部１４の正面に親指を押し当て、本体ブロック２の本体後端部１８の背面側に残り四指を当てて握り込む。除毛作業時には、図８に示すように刃ブロック４の先端面１２を肌面５００に当てながら、電動バリカン全体を刃先方向１００にスライドさせてゆく。このとき、長さ方向の中央領域にて湾曲した本体ブロック２の背面と肌面５００との間には大きな空間が形成されるので、本体ブロック２を握った手が肌面５００に接触することが抑えられる。また、本体ブロック２の本体後端部１８は、本体先端部１４に対して刃先方向１００とは反対側にむけて更に傾いているので、本体後端部１８に四指や手の平を当てて握り込んだ状態でも、使用者の肘が上がり過ぎることが抑えられる。そのため、良好な使用感が得られる。
【００３７】
以上、添付図面に基づいて説明したように、本実施形態の電動バリカンは、片手で握られる筒型の本体ブロック２と、本体ブロック２の先端に装着される刃ブロック４とを具備する。本体ブロック２にはその内部にモータ２４が設けられ、刃ブロック４にはモータ２４によって駆動される櫛状の刃部１０が設けられている。この本体ブロック２は、刃ブロック４を装着する本体先端部１４と、本体先端部１４とは反対側に位置する本体後端部１８と、本体先端部１４と本体後端部１８の間に介在する湾曲部１６とで形成される。本体先端部１４の軸方向が、本体後端部１８の軸方向に対して傾いて設定され、且つ、刃ブロック４の刃先方向１００が、本体後端部１８の軸方向に対して傾いて設定される。
【００３８】
このように、本実施形態の電動バリカンでは、本体ブロック２全体が湾曲部１６を介して折れ曲がった形状を有するので、この本体ブロック２を多様な握り方で保持し、良好な使用感で除毛作業を行うことが可能となる。
【００３９】
また、本実施形態の電動バリカンにおいて、湾曲部１６は、刃ブロック４の先端から本体ブロック２の後端に至るまでの全長の略中間領域に設けられ、且つ、刃ブロック４の刃幅方向２００において、本体先端部１４と本体後端部１８よりも幅狭に設けられている。
【００４０】
これにより、例えばペンを握るようにして本体ブロック２を背面側から握る際にも、この湾曲部１６を利用して指を当てることで本体ブロック２を保持しやすくなり、且つ、本体ブロック２を握る手が肌面５００に接触することも抑えられる。また、例えば本体ブロック２の本体後端部１８を手の平で握り込んで用いる際も、本体後端部１８が本体先端部１４に対して倒れた姿勢にあることから、肘が上がり過ぎず良好な使用感を得ることができる。
【００４１】
更に、湾曲部１６には指当て部材４０が配置されている。この指当て部材４０は、湾曲部１６の外周面のうち湾曲した内側の面を覆う第一面部４２と、湾曲部１６の外周面うち刃ブロック４の刃幅方向２００の一方の面を覆う第二面部４４と、湾曲部１６の外周面のうち刃ブロック４の刃幅方向２００の他方の面を覆う第三面部４６とを、一連に有する。
【００４２】
これにより、使用者は本体ブロック２を握る際に指を当てる箇所が明確になる。また、指当て部材４０に当てた指がずれることも抑えられるので、より良好な使用感が得られる。
【００４３】
更に、湾曲部１６の外周面のうち湾曲した外側の面には、モータ２４のオンオフを操作するスイッチ３８を配置している。
【００４４】
これにより、本体ブロック２を握った状態のままでも、スイッチ３８に指を当てて簡単にモータ２４のオンオフ操作をすることができる。例えば、ペンを握るようにして本体ブロック２を背面側から握った際には、親指の指先部分をそのまま本体ブロック２の正面側にスライドさせるだけでスイッチ３８を簡単に操作することが可能である。
【００４５】
更に、本体先端部１４にはモータ２４が収納され、本体後端部１８にはモータ２４に電力を供給するバッテリ２８が収納されている。
【００４６】
これにより、本体ブロック２はその途中で湾曲した形状であるのに対して、湾曲した部分を避けてモータ２４やバッテリ２８を収納し、本体ブロック２の内部スペースを有効に活用することができる。
【００４７】
そして、本実施形態の電動バリカンにおいて、本体先端部１４の軸方向は、本体後端部１８の軸方向に対して一方向に１５°〜２５°の範囲内で傾いて設定され、刃ブロック４の刃先方向１００は、本体後端部１８の先端側へと向かう軸方向に対して、前記一方向とは逆方向に３５°〜４５°の範囲内で傾いて設定される。且つ、本体ブロック２を刃ブロック４の刃幅方向２００から視て、本体先端部１４の中心軸Ａ１と刃ブロック４の先端面１２との交点Ｐ１を始点とし、本体先端部１４の中心軸Ａ１と本体後端部１８の中心軸Ａ２との交点Ｐ２を終点としたとき、始点から終点に至るまでの長さＬ１は６０〜８０ｍｍの範囲内で設定される。これらの設定が、上述のような良好な使用感を得るためには好ましい。
【００４８】
以上、本発明を添付図面に示す実施形態に基づいて説明したが、本発明は前記実施形態に限定されるものではなく、本発明の意図する範囲内であれば、適宜の設計変更を行うことが可能である。
【符号の説明】
【００４９】
２  本体ブロック
４  刃ブロック
１２  先端面
１４  本体先端部
１６  湾曲部
１８  本体後端部
２４  モータ
２８  バッテリ
４０  指当て部材
４２  第一面部
４４  第二面部
４６  第三面部
１００  刃先方向
２００  刃幅方向
Ａ１  中心軸
Ａ２  中心軸
Ｌ１  長さ
Ｐ１  交点
Ｐ２  交点
【図１】
2014045806.tif 000003
【図２】
2014045806.tif 000004
【図３】
2014045806.tif 000005
【図４】
2014045806.tif 000006
【図５】
2014045806.tif 000007
【図６】
2014045806.tif 000008
【図７】
2014045806.tif 000009
【図８】
2014045806.tif 000010